(57)【要約】【課題】  軒樋の継目接合部における水漏れ防止の止水性を長期にわたって確実なものとし、さらに具体的には接着剤を用いる施工で接着剤の塗布が均一でなくばらつきが生じた場合や、接着剤を使用しない施工においても継目接合部での長期にわたる止水効果を向上することのできる新しい軒樋継手とこれを用いた継手構造を提供する。【解決手段】  対向する軒樋本体１Ａ、１Ｂ端部での継目接合部を形成する内継手４および外継手２の少くともいずれかの継手であって、軒樋本体１Ａ、１Ｂへの接合面側には、吸水性ポリマー６の配設部が設けられていると共に、その両側位置には、接着剤３もしくはパッキン部材の配設部が設けられているものとする。【選択図】図１
2007224615.tif 000002
【特許請求の範囲】
【請求項１】
対向する軒樋本体端部での継目接合部を形成する内継手および外継手の少くともいずれかの継手であって、軒樋本体への接合面側には、吸水性ポリマーの配設部が設けられていると共に、その両側位置には、接着剤もしくはパッキン部材の配設部が設けられていることを特徴とする軒樋継手。
【請求項２】
請求項１の軒樋継手をもって形成された軒樋継手構造であって、吸水性ポリマーの配設部が対向する軒樋本体端部双方の内周面および外周面少くともいずれかに当接されていると共に、吸水性ポリマー配設部の両側位置には接着剤もしくはパッキン部材が配置されていることを特徴とする軒樋継手構造。
【発明の詳細な説明】
【技術分野】
【０００１】
本発明は、軒樋本体の端部と端部との継目において装着される軒樋継手とこれを用いた継手構造に関するものである。
【背景技術】
【０００２】
従来一般的に、たとえば図４に例示したように、軒樋本体１Ａ、１Ｂの長手方向の端部と端部とを継ぐ継目においては、（Ａ）軒樋本体１Ａ、１Ｂの外周面に外継手２が接着剤３をもって沿設されるとともに、（Ｂ、Ｃ）内周面には、内押えとして、その外面に接着剤３を塗布した内継手４が押込まれて沿設されている。ここで、接着剤３は、継目での接合強度を高めるとともに、継目からの雨水等の水漏れを防止するための役割を果たしている。
【０００３】
しかしながら、上記のような軒樋の継手構造の施工においては、現場作業において接着剤３の塗布量が規定量より少くなるという事態が生じかねない。このような施工上のばらつきがあると、接着剤３による接着の欠損部もしくは不足部において通水が生じ、水漏れが発生することになる。
【０００４】
そこで、従来より、接着剤３を使用することに代えて、水漏れの防止を目的として、たとえば図５および図６に示したように、軒樋本体１Ａ、１Ｂと外継手２との間に、あるいは内継手４との間に、パッキン材５や吸水性ポリマー６を挟むことも検討されている。たとえば具体的にも、パッキン材を挟むこと（特許文献１）やパッキン材の素材（特許文献２）等が提案されており、また、吸水性ポリマーのシート材を挟むこと（特許文献３−５）や、一方の軒樋に吸水性ポリマーを挟み、他方の軒樋に接着剤を用いた構造とすること（特許文献６）も提案されている。
【０００５】
しかしながら、これらの提案においても、パッキン材を挟む場合にはパッキン材の経年劣化によって隙間が生じて水漏れが発生する場合があり、また吸水性ポリマーの場合には、乾燥、湿潤の繰り返しが多くなるとともに吸水性ポリマーの能力低下によって水漏れが生じやすくなるという問題があった。
【特許文献１】特開２０００−２８２６４０号公報
【特許文献２】特開平７−２９２８９１号公報
【特許文献３】実開平６−１５５４号公報
【特許文献４】特開平３−１４７９６４号公報
【特許文献５】特開２００４−８４３０２号公報
【特許文献６】特開平４−６００５１号公報
【発明の開示】
【発明が解決しようとする課題】
【０００６】
本発明は、以上のとおりの背景から、従来の問題点を解消し、軒樋の継目接合部における水漏れ防止の止水性を長期にわたって確実なものとし、さらに具体的には接着剤を用いる施工で接着剤の塗布が均一でなくばらつきが生じた場合や、接着剤を使用しない施工においても継目接合部での長期にわたる止水効果を向上することのできる新しい軒樋継手とこれを用いた継手構造を提供することを課題としている。
【課題を解決するための手段】
【０００７】
本発明の軒樋継手は、以下のことを特徴としている。
【０００８】
対向する軒樋本体端部での継目接合部を形成する内継手および外継手の少くともいずれかの継手であって、軒樋本体への接合面側には、吸水性ポリマーの配設部が設けられていると共に、その両側位置には、接着剤もしくはパッキン部材の配設部が設けられている。
【０００９】
また、本発明の軒樋継手構造は次のことを特徴としている。すなわち、上記の軒樋継手をもって形成された軒樋継手構造であって、吸水性ポリマーの配設部が対向する軒樋本体端部双方の内周面および外周面少くともいずれかに当接されていると共に、吸水性ポリマー配設部の両側位置には接着剤もしくはパッキン部材が配置されている。
【発明の効果】
【００１０】
上記のとおりの本発明の継手を用いた軒樋継手の構造によれば、接合部における吸水性ポリマーによる優れた止水作用を生かし、しかも、吸水性ポリマーの両側位置に接着剤もしくはパッキン部材を配置して吸水性ポリマーに対して水分の蒸発を抑える堰を形成することで、吸水性ポリマーの乾燥と湿潤のサイクルにともなう経年劣化、吸収能力の低下を抑制し、これによって長期間の止水効果の確保を可能としている。
【００１１】
また、接着剤の塗布に施工ばらつきが生じた場合でも、対向する軒樋本体端部の双方の内周面もしくは外周面に当接する継手の中央部に配置した吸水性ポリマーの作用によって止水性が確保されることになる。パッキン部材の経年劣化による隙間が生じた場合にも同様である。すなわち、本発明によれは、従来同様の接着剤を用いる施工で接着剤の塗布が均一でなくばらつきが生じた場合や、接着剤を使用しない施工においても継目接合部での長期にわたる止水効果を向上させることができる。
【発明を実施するための最良の形態】
【００１２】
本発明は、上記のとおりの特徴をもつものであるが、以下にその実施の形態について説明する。
【００１３】
添付した図面の図１は、本発明の一実施形態を例示した斜視図である。たとえばこの図１に示したように、本発明の軒樋継手としての内継手４においては、対向する軒樋本体１Ａ、１Ｂ端部での継目接合部の形成のために、軒樋本体１Ａ、１Ｂの内周面に対向する、その外周面である接合面側に、吸水性ポリマー６の配設部が設けられていると共に、この吸水性ポリマー６配設部の両側位置に、接着剤３の配設部が設けられている。
【００１４】
このような内継手を用いて継目の接合施工を行う場合、図２に概要図を例示したように、吸水性ポリマー６の配設部は、対向する軒樋本体１Ａ、１Ｂの端部双方の内周面に当接されている。これによって、吸水性ポリマー６の止水作用を実現している。そして、吸水性ポリマー６の配設部の両側位置には、接着剤３による接合部が形成される。継手接合部では、吸水性ポリマー６を、接着剤３が挟むような位置関係となる。
【００１５】
図１および図２の例では、内継手４の外周面に吸水性ポリマー６の配設部や接着剤３の配設部を設けているが、これらは、図１に示した外継手２の内周面に設けられていてもよく、さらには内継手４の外周面および外継手２の内周面の両方に設けられていてもよい。一方のみの場合には、他方の継手には、従来のように接着剤、パッキン部材、あるいは吸水性ポリマーのみを設けることもできる。これらの選択は、軒樋の設置される環境、気候条件、降雨量等を考慮して定めることができる。
【００１６】
上記の接着剤３に代えて、図３のように、パッキン部材５を用いてもよい。
【００１７】
いずれの場合にも、以上のとおりの軒樋の継手構造によれば、接合部での吸水性ポリマーによる優れた止水作用を生かし、しかも、吸水性ポリマーの両側位置に接着剤もしくはパッキン部材を配置して吸水性ポリマーに対して水分の蒸発を抑える堰を形成することで、吸水性ポリマーの乾燥と湿潤のサイクルにともなう経年劣化、吸収能力の低下を抑制し、これによって長期間の止水効果の確保を可能としている。
【００１８】
また、接着剤の塗布に施工ばらつきが生じた場合でも、対向する軒樋本体端部の双方の内周面もしくは外周面に当接する継手の中央部に配置した吸水性ポリマーの作用によって止水性が確保されることになる。パッキン部材の経年劣化による隙間が生じた場合にも同様である。すなわち、本発明によれは、従来同様の接着剤を用いる施工で接着剤の塗布が均一でなくばらつきが生じた場合や、接着剤を使用しない施工においても継目接合部での長期にわたる止水効果を向上させることができる。
【００１９】
以上のような本発明の継手構造においては、吸水性ポリマー６は、軒樋本体１Ａ、１Ｂの双方の端部内周面に共に当接していることが肝要である。一方のみへの当接では、継目からの水漏れ防止のための止水効果は十分でなく、接着剤やパッキン部材の欠損、劣化等によって、吸水性ポリマー６が当接されていない軒樋本体の端部からの水漏れが従来と同様に避けられず、長期にわたる止水効果の維持は難しくなる。
【００２０】
本発明の軒樋継手とその接合構造に用いられる吸水性ポリマー６としては、自然状態で弾性を有する固体に高吸水性ポリマーを添加したものが使用される。高吸水性ポリマーの例としては、例えばデンプン−アクリロニトリルグラフト重合体加水分解物、デンプン−アクリル酸グラフト重合体などのデンプン系高吸水性ポリマー、セルロース−アクリロニトリルグラフト重合体、セルロース−スチレンスルホン酸グラフト共重合体などのセルロース系高吸水性ポリマー、多糖類系高吸水性ポリマー、コラーゲン等のたんぱく質系高吸水性ポリマー、ポロビニルアルコール架橋重合体などのポリビニルアルコール系高吸水性ポリマー、ポリアクリル酸ナトリウム架橋体、アクリル酸ナトリウム−ビニルアルコール共重合体などのアクリル系高吸水性ポリマー、無水マレイン酸系高吸水性ポリマー、ビニルピロリドン系高吸水性ポリマー、ポリエチレングリコール・ジアクリレート架橋重合体などのポリエーテル系高吸水性ポリマー等を挙げることができるが、もちろんこれらに限定されるものではない。
【００２１】
ここで、高吸水性ポリマーは一般に自重の５００倍から１０００倍の吸水力があり、水に溶解せず、加圧しても吸水した水は離脱しない特徴から、従来は紙おむつにも使用されているが、本発明は、吸水性ポリマーが水を吸収して膨張すること及びこの膨張が止水に極めて有効であることに着目し、軒樋継目接合部のシール材として用いた場合には良好な止水効果がえられるとの知見に基づいている。また吸水性ポリマーとして吸水時に５日で体積が２倍になるものがあるが、軒樋では吸水時にすぐに体積が増えないと雨漏れが発生することから、短時間で体積が２倍になるような、吸水速度の高い高吸水性ポリマーを用いるのが望ましい。
【００２２】
また、接着剤３やパッキン部材５については従来より知られているものをはじめとして各種であってよい。
【００２３】
たとえばウレタン系、アクリル系、エポキシ系等の接着剤であり、塩ビ樹脂、ウレタンゴム、シリコンゴム等のパッキン部材である。
【００２４】
さらにまた、本発明の上記の軒樋継手においては、図３にパッキン部材５の場合として示したような吸水性ポリマーや接着剤の配設のための溝や、微小な凹凸粗面等を内継手、そして外継手に設けておいてもよい。これらによって、より確実な配設が可能とされる。
【００２５】
以上のような本発明の優れた止水作用の効果は、以下の実施例によっても確認される。
【実施例】
【００２６】
図１および図２の形態に沿って、以下の例の各々について止水試験を行った。
（比較例１）従来のように、吸水性ポリマーのみを配設。
（比較例２）従来のように、パッキン部材のみを配設。
（実施例１）両側に接着剤を配設し、中央部に吸水性ポリマーを配設。
（実施例２）両側にパッキン部材を配設し、中央部に吸水性ポリマーを配設。
【００２７】
なお、ここで、吸水性ポリマーとしては東洋紡績（株）製「ランシールＦ」を、パッキン部材としては軟質ＰＶＣを、接着剤としてはウレタン系接着剤を使用した。
【００２８】
止水試験とその結果を表１に示した。結果の表示としては、Ａ：水漏れなし、Ｂ：水漏れ発生とした。
【００２９】
【表１】
2007224615.tif 000003
比較例１の場合には、乾燥／湿潤の１００サイクルで吸水量が初期の１／２に低下するために水漏れが発生している。また、比較例２の場合には、７０℃／５０００Ｈ（時間）で軟質ＰＶＣの可塑剤が揮発し、硬く、ひびが入るために水漏れが発生している。
【００３０】
一方、本発明の実施例においては水漏れは発生していない。
【図面の簡単な説明】
【００３１】
【図１】吸水性ポリマーと接着剤を用いた本発明の一実施形態を例示した斜視図である。
【図２】図１の形態の概要断面図である。
【図３】吸水性ポリマーとパッキン部材を用いた別の実施形態の概要断面図である。
【図４】接着剤を用いた従来例を示した施工工程の斜視図である。
【図５】パッキン部材を用いた従来例の概要断面図である。
【図６】吸水性ポリマーを用いた従来例の概要断面図である。
【符号の説明】
【００３２】
１Ａ、１Ｂ  軒樋本体
２  外継手
３  接着剤
４  内継手
５  パッキン部材
６  吸水性ポリマー
【図１】
2007224615.tif 000004
【図２】
2007224615.tif 000005
【図３】
2007224615.tif 000006
【図４】
2007224615.tif 000007
【図５】
2007224615.tif 000008
【図６】
2007224615.tif 000009